(57)【要約】      （修正有）【課題】単一のコミュニケーション主体を登録することにより相手方と容易にコミュニケーションすることができると共に、情報リテラシーに依存せずかつデジタルデバイドを発生せずに対象に関する情報を収集することが可能なモバイルワンストップ通信方法を提供する。【解決手段】コミュニケーションの対象となるユーザを一意に特定するコミュニケーションキーを生成する段階と、所望のユーザに対して前記生成したコミュニケーションキーをモバイルのデスクトップに配置する段階と、前記コミュニケーションキーに対応付けられた様々なコミュニケーションツールに関連付けられた情報を対話可能な形式で前記モバイルの前記デスクトップに表示する段階と、前記情報が更新された場合に、前記モバイルの前記デスクトップに表示された該更新された情報に対応付けられたコミュニケーションキーにアラートを発生させる段階とを具備する。【選択図】図１
2007018371.tif 000002
【特許請求の範囲】
【請求項１】
様々な方式の通信網を利用した複数のユーザ間におけるコミュニケーションを実現するモバイルワンストップ通信方法であって、
コミュニケーションの対象となるユーザを一意に特定するコミュニケーションキーを生成する段階と、
所望のユーザに対して前記生成したコミュニケーションキーをモバイルのデスクトップに配置する段階と、
前記コミュニケーションキーに対応付けられた様々なコミュニケーションツールに関連付けられた情報を対話可能な形式で前記モバイルの前記デスクトップに表示する段階と、
前記情報が更新された場合に、前記モバイルの前記デスクトップに表示された該更新された情報に対応付けられたコミュニケーションキーにアラートを発生させる段階とを具備することを特徴とするモバイルワンストップ通信方法。
【請求項２】
前記コミュニケーションキーは、ランダムナンバーであることを特徴とする請求項１に記載のモバイルワンストップ通信方法。
【請求項３】
前記コミュニケーションキーは、一意のランダムナンバーを二次元コード化したアイコンであることを特徴とする請求項１に記載のモバイルワンストップ通信方法。
【請求項４】
前記コミュニケーションキーは、ＲＳＳアイコンであることを特徴とする請求項１に記載のモバイルワンストップ通信方法。
【請求項５】
前記コミュニケーションキーは、エージェントアイコンであることを特徴とする請求項１に記載のモバイルワンストップ通信方法。
【請求項６】
前記コミュニケーションキーにアラートを発生させる段階は、前記アイコンの動きを変化させることによりアラートを発生させて、前記情報が更新されたことをユーザに伝達することを特徴とする請求項３から請求項５のいずれかに記載のモバイルワンストップ通信方法。
【請求項７】
前記コミュニケーションキーにアラートを発生させる段階は、前記アイコンの形状を変化させることによりアラートを発生させて、前記情報が更新されたことをユーザに伝達することを特徴とする請求項３から請求項５のいずれかに記載のモバイルワンストップ通信方法。
【請求項８】
前記コミュニケーションツールは、電話、メール、ブログ、ＵＲＬ、ホットライン、位置情報、等を含むコミュニケーション手段の少なくとも一つまたは二つ以上の組合せを含むことを特徴とする請求項１に記載のモバイルワンストップ通信方法。
【請求項９】
様々な方式の通信網を利用した複数のユーザ間におけるコミュニケーションを実現するモバイルワンストップ通信システムであって、
コミュニケーションの対象となるユーザを一意に特定するコミュニケーションキーを生成する生成手段と、
所望のユーザに対して前記生成したコミュニケーションキーをモバイルのデスクトップに配置する配置手段と、
前記コミュニケーションキーに対応付けられた様々なコミュニケーションツールに関連付けられた情報を対話可能な形式で前記モバイルの前記デスクトップに表示する表示手段と、
前記情報が更新された場合に、前記モバイルの前記デスクトップに表示された該更新された情報に対応付けられたコミュニケーションキーにアラートを発生させる発生段階とを備えていることを特徴とするモバイルワンストップ通信システム。
【請求項１０】
前記生成手段は、前記コミュニケーションキーとして、ランダムナンバーを生成することを特徴とする請求項９に記載のモバイルワンストップ通信システム。
【請求項１１】
前記生成手段は、前記コミュニケーションキーとして、一意のランダムナンバーを二次元コード化したアイコンを生成することを特徴とする請求項９に記載のモバイルワンストップ通信システム。
【請求項１２】
前記生成手段は、前記コミュニケーションキーとして、ＲＳＳアイコンを生成することを特徴とする請求項９に記載のモバイルワンストップ通信システム。
【請求項１３】
前記生成手段は、前記コミュニケーションキーとして、エージェントアイコンを生成することを特徴とする請求項９に記載のモバイルワンストップ通信システム。
【請求項１４】
前記発生手段は、前記アイコンの動きを変化させることによりアラートを発生させて、前記情報が更新されたことをユーザに伝達することを特徴とする請求項１１から請求項１３のいずれかに記載のモバイルワンストップ通信システム。
【請求項１５】
前記発生手段は、前記アイコンの形状を変化させることによりアラートを発生させて、前記情報が更新されたことをユーザに伝達することを特徴とする請求項１１から請求項１３のいずれかに記載のモバイルワンストップ通信システム。
【請求項１６】
前記コミュニケーションツールは、電話、メール、ブログ、ＵＲＬ、ホットライン、位置情報、等を含むコミュニケーション手段の少なくとも一つまたは二つ以上の組合せを含むことを特徴とする請求項９に記載のモバイルワンストップ通信システム。
【発明の詳細な説明】
【技術分野】
【０００１】
本発明は、携帯電話機などのモバイルと呼ばれる携帯端末における通信に関し、特に、様々なアプリケーションに適用することが可能なモバイル通信方法及びシステムに関する。
【背景技術】
【０００２】
従来、携帯端末は、目的型データアクセス及びコミュニケーションのためのツールであり、原則として、相対によるコミュニケーションを基本姿勢とするものである。
【発明の開示】
【発明が解決しようとする課題】
【０００３】
しかしながら、情報発信ツール及びコミュニケーションツールは、多様化してきたが、従来の方式では、それぞれが個別のツールとして構成されている。
そして、従来の方式では、コミュニケーション対象からの更新情報が発生した場合には、それらのツールから伝達の手段を担うツールを「選択」して「起動」するように構成されている。
【０００４】
そのような伝達の手段を担うツールを選択して起動することを解決する一つの手段として、「フルブラウザ」があるが、「フルブラウザ」はＰＣ環境を移管したに過ぎず、「フルブラウザ」を使用することだけでは情報の絞り込みが行なわれていない。即ち、ユーザ側に高い「情報リテラシー」を求めている点、ユーザ側の「利便性」を損なったままである点は、否めない。
【０００５】
従来の方式では、ユーザであるＡさんは、コミュニケーション方法のＩＤ（例えば，Ａさんの電話番号に関する情報、メールアドレスに関する情報、ブログに関する情報、及びＵＲＬに関する情報）を個別に登録すると共に、口頭もしくは赤外線などの方法で個別に相手方に伝達することが必要であった。
【０００６】
また、従来の方式では、関心のある対象について情報を収集する場合には、検索サイトやＲＳＳ(Rich Site Summary)リーダ等にキーワードを入力するか場合によってはその都度実施する必要があった。
そのために従来の方式では、情報リテラシーに依存すると共にデジタルデバイドが発生するという問題点があった。
【０００７】
本発明は、上記従来の方式における問題点に鑑みてなされたものであり、単一のコミュニケーション主体を登録することにより相手方と容易にコミュニケーションすることができると共に、情報リテラシーに依存せずかつデジタルデバイドを発生せずに対象に関する情報を収集することが可能なモバイルワンストップ通信システム及び方法を提供することをその課題とするものである。
【課題を解決するための手段】
【０００８】
本発明の上記課題は、様々な方式の通信網を利用した複数のユーザ間におけるコミュニケーションを実現するモバイルワンストップ通信方法であって、コミュニケーションの対象となるユーザを一意に特定するコミュニケーションキーを生成する段階と、所望のユーザに対して前記生成したコミュニケーションキーをモバイルのデスクトップに配置する段階と、前記コミュニケーションキーに対応付けられた様々なコミュニケーションツールに関連付けられた情報を対話可能な形式で前記モバイルの前記デスクトップに表示する段階と、前記情報が更新された場合に、前記モバイルの前記デスクトップに表示された該更新された情報に対応付けられたコミュニケーションキーにアラートを発生させる段階とを具備することを特徴とするモバイルワンストップ通信方法によって達成される。
【０００９】
また、本発明の上記課題は、様々な方式の通信網を利用した複数のユーザ間におけるコミュニケーションを実現するモバイルワンストップ通信システムであって、コミュニケーションの対象となるユーザを一意に特定するコミュニケーションキーを生成する生成手段と、所望のユーザに対して前記生成したコミュニケーションキーをモバイルのデスクトップに配置する配置手段と、前記コミュニケーションキーに対応付けられた様々なコミュニケーションツールに関連付けられた情報を対話可能な形式で前記モバイルの前記デスクトップに表示する表示手段と、前記情報が更新された場合に、前記モバイルの前記デスクトップに表示された該更新された情報に対応付けられたコミュニケーションキーにアラートを発生させる段階とを備えていることを特徴とするモバイルワンストップ通信システムによって達成される。
【発明の効果】
【００１０】
ツールの種類を問わず、相手方から情報発信が成された場合には、アイコンがアラートを発する。ユーザは、アラートに応じて、コミュニケーション対象のアイコンをクリックするだけであり、コミュニケーションそのものに注力することが可能となる。
ユーザであるＡさんは、コミュニケーション主体（コミュニケーション対象の相手方を一意に特定するキー、つまりアイコンもしくはランダムナンバー）を一つ登録するだけであると共に、端末内に保存してある自らの２次元コード化されたＩＤ（アイコン、ランダムナンバー）を相手方にスキャンさせるだけである。
また、関心のある対象について「情報」を収集する場合には、検索サイトやＲＳＳ(Rich Site Summary)を２次元コード化したもの（＝アイコン）を検索し、スキャンして取り込むだけなので、情報リテラシーに依存しないしかつデジタルデバイドが発生しない。
【発明を実施するための最良の形態】
【００１１】
本発明のモバイルワンストップ通信方法では、コミュニケーションキーは、ランダムナンバーであってもよい。
【００１２】
本発明のモバイルワンストップ通信方法では、コミュニケーションキーは、一意のランダムナンバーを２次元コード化したアイコンであってもよい。
【００１３】
本発明のモバイルワンストップ通信方法では、コミュニケーションキーは、ＲＳＳアイコンであってもよい。
【００１４】
本発明のモバイルワンストップ通信方法では、コミュニケーションキーは、エージェントアイコンであってもよい。
【００１５】
本発明のモバイルワンストップ通信方法では、コミュニケーションキーにアラートを発生させる段階は、アイコンの動きを変化させることによりアラートを発生させて、情報が更新されたことをユーザに伝達するように構成してもよい。
【００１６】
本発明のモバイルワンストップ通信方法では、コミュニケーションキーにアラートを発生させる段階は、アイコンの形状を変化させることによりアラートを発生させて、情報が更新されたことをユーザに伝達するように構成してもよい。
【００１７】
本発明のモバイルワンストップ通信方法では、コミュニケーションツールは、電話、メール、ブログ、ＵＲＬ、ホットライン（掲示板）、位置情報、等を含むコミュニケーション手段の少なくとも一つまたは二つ以上の組合せを含んでもよい。なお、ホットラインとは、相対するコミュニケーション主体の間に共有される領域を指しており、インターネット掲示板はその一例である。
【００１８】
本発明のモバイルワンストップ通信システムでは、生成手段は、コミュニケーションキーとして、ランダムナンバーを生成するように構成してもよい。
【００１９】
本発明のモバイルワンストップ通信システムでは、生成手段は、コミュニケーションキーとして、一意のランダムナンバーを２次元コード化したアイコンを生成するように構成してもよい。
【００２０】
本発明のモバイルワンストップ通信システムでは、生成手段は、コミュニケーションキーとして、ＲＳＳアイコンを生成するように構成してもよい。
【００２１】
本発明のモバイルワンストップ通信システムでは、生成手段は、コミュニケーションキーとして、エージェントアイコンを生成するように構成してもよい。
【００２２】
本発明のモバイルワンストップ通信システムでは、発生手段は、アイコンの動きを変化させることによりアラートを発生させて、情報が更新されたことをユーザに伝達するように構成してもよい。
【００２３】
本発明のモバイルワンストップ通信システムでは、発生手段は、アイコンの形状を変化させることによりアラートを発生させて、情報が更新されたことをユーザに伝達するように構成してもよい。
【００２４】
本発明のモバイルワンストップ通信システムでは、コミュニケーションツールは、電話、メール、ブログ、ＵＲＬ、ホットライン、位置情報、等を含むコミュニケーション手段の少なくとも一つまたは二つ以上の組合せを含むように構成してもよい。
【実施例】
【００２５】
以下、添付した図面を参照して、本発明によるモバイルワンストップ通信方法及びシステムを詳細に説明する。
【００２６】
図１は、本発明によるモバイルワンストップ通信方法を実施するためのモバイルワンストップ通信システムの概略構成を示す。
図１に示すように、モバイルワンストップ通信システム１０は、モバイルの一実施形態である携帯電話機１１1〜１１mと、無線基地局１２と、移動電話交換局１３と、音声網やデータ通信網を含むネットワーク１４と、ゲートウェイ（またはサーバ）１５を備えている通信管理センター１６と、サーバ１７1〜１７nから様々な情報やコンテンツを提供する情報提供者（ＩＰ：Information Provider）１８1〜１８nと、通信管理センター１６及び情報提供者１８1〜１８nのサーバ１７1〜１７nをネットワーク接続するインターネット１９と、インターネット１９に接続されたパーソナルコンピュータ（以下、ＰＣと略称する）２０1〜２０m（以下、その中の一つを代表的に参照番号２０で表す）、及びＰＣ２０のメモリ／ストレージまたはＳＤカードなどの外部メモリ（以下、メモリ/ストレージと略称）２０Ｓ1〜２０Ｓm（以下、その中の一つを代表的に参照番号２０Ｓで表す）とにより構成されている。ここでｍ及びｎは、携帯電話加入者及び情報提供者の数をそれぞれ示す任意の整数である。
【００２７】
図２は、図１に示す携帯電話機１１1〜１１m（以下、その中の一つを代表的に参照番号１１で表す）のハードウェア構成を具体的なデバイスで示す概略ブロック図である。
図１に示す携帯電話機１１のハードウェアは、ベースバンドＣＰＵ（中央処理装置）２１、アンテナ２２、発信器２３、パワーアンプ２４、高周波ＩＣ２５、アプリケーションＣＰＵ及びＤＳＰ（デジタル信号処理専用プロセッサ）２６、メモリ/ストレージ２７、ＵＩＭカード２８、カメラ装置２９、２次元バーコードリーダ３０、アイコン制御装置３１、ＧＰＳ受信機３２、入力装置３３、表示装置３４、及び電池３５、等で構成されている。
【００２８】
また、図２に示すように、これらのデバイスを動作するためのソフトウェアは、携帯電話機１１の無線通信プロトコル１０１、様々な周辺デバイスを制御するデバイスドライバ１０２、ソフトウェア全体を制御するリアルタイムＯＳ（オペレーティング・システム）１０３、電話用ソフトウェア１０４、メーラ用ソフトウェア１０５、ＳＭＳ／ＭＳＭ用ソフトウェア１０６、ブラウザ用ソフトウェア１０７、文書ビューア用ソフトウェア１０８、ＪＡＶＡアプリ用ソフトウェア１０９、電話帳用ソフトウェア１１０、ＰＩＭ(Personal Information Manager)用ソフトウェア１１１、テキスト処理用ソフトウェア１１２、音声処理用ソフトウェア１１３、画像処理用ソフトウェア１１４、映像処理用ソフトウェア１１５、ＳＳＬ・ＴＣＰ／ＩＰ用ソフトウェア１１６、ＪＡＶＡ・ＶＭ用ソフトウェア１１７、ミドルウェア処理用ソフトウェア１１８、及びソフト/データダウンロード用ソフトウェア１１９、等で構成されている。
【００２９】
次に、図３〜図２５を参照して、本発明によるモバイルワンストップ通信方法について詳細に説明する。
【００３０】
１．初期設定（図３）
まずユーザは、インターネット１９に接続したＰＣ２０をオンにしてブラウザ（図示省略）から、画面Ａ００１に示す情報提供者（以下、ＩＰと略称する）１８1〜１８nの一つである情報提供サービスサイトを参照する（ステップＳ１０１）。
情報提供サービスサイト上には、本サービスに関するサービス案内及びアプリケーションの利用方法、その他サービスメニュー（後述）が掲載されると共に、アプリケーションをダウンロードするための携帯向けサイト情報提供ケータイサイトへのアクセスを誘導する２次元コードが画像ファイルで表示されている（以下の説明において、２次元コードとして一般に用いられているＱＲコードを用いて説明する）。このＱＲコードには情報提供ケータイサイトのＵＲＬが記述されている。
【００３１】
ユーザは、この時点で所有する携帯電話機１１をオンにして、携帯電話機１１の表示装置３４の画面で、入力装置３３を用いて、２次元バーコードリーダ３０、及び連動してカメラ装置２９を起動する。ユーザは、カメラ装置２９を通してスキャンしたＱＲコードを２次元バーコードリーダ３０で解析し、ＱＲコードに含まれるＵＲＬを表示装置３４に表示する。ユーザは、入力装置３３を用いてＵＲＬのリンケージからＩＰ１８1〜１８nの一つである情報提供ケータイサイトにアクセスする（ステップＳ１０２）。
【００３２】
画面Ａ００２に示す情報提供ケータイサイト上には、サービス案内及びアプリケーションの利用方法が掲載されると共に、アプリケーションをダウンロードするためのダウンロードボタン（図示省略）が表示されている。ユーザは、入力装置３３を用いてダウンロードボタンを押下すると、ダウンロードボタンに連動するソフト／データダウンロード機能（ソフト/データダウンロード用プログラム１１９を動作させることにより稼動する機能）により、サーバ１７からアプリケーションが携帯電話機１１のメモリ／ストレージ部２７にダウンロードされかつ保存される（ステップＳ１０３）。
【００３３】
ダウンロードが完了した時点で表示装置３４の画面上に起動する旨のメッセージが表示されるので、ユーザは、入力装置３３を用いてアプリケーションを起動する（ステップＳ１０４）。
【００３４】
初回起動時には、表示装置３４の画面に、空のデスクトップ画面を表示してもよいし、画面Ａ００３に示すＭＹアイコン基礎情報登録画面を表示してもよい。本実施形態では、後者、即ち、「ＭＹアイコン基礎情報登録」の画面Ａ００３を表示するものとする（ステップＳ１０５）。
【００３５】
表示装置３４の画面で、「ＭＹアイコン基礎情報登録」の画面Ａ００３に基づいて、（ａ）登録名、（ｂ）電話番号１〜ｎ、（ｃ）メールアドレス１〜ｎ、（ｄ）ＢＬＯＧ１〜ｎ、（ｅ）ウェブサイト等のコミュニケーション手段を、携帯電話機１１の入力装置３３を用いて必要なデータ（情報）を入力することにより、携帯電話機１１のメモリ／ストレージ２７及びサーバ１７に登録する（ステップＳ１０６）。
【００３６】
ここで、上記（ｂ）電話番号（携帯の電話番号）、及び上記（ｃ）メールアドレス（携帯のメールアドレス）は、ＵＩＭ２８、等から自動的に取得するものとする。また、本願発明の出願時点では存在していないがその後に開発されうる新たなコミュニケーション手段が使用される場合には、その手段においてユーザに割り当てられるＩＤについても当画面で入力、申請することが可能となる。
【００３７】
２．ＭＹアイコンの追加／ＱＲコード表示（パーミッションの変更）（図４及び図５）
携帯電話機１１のユーザは、携帯電話機１１の表示装置３４に表示された図４に示すデスクトップ画面Ｆ００１から、入力装置３３を用いて図５に示すメニュー画面Ａ００４を開く（ステップＳ２０１）。
【００３８】
メニュー画面Ａ００４の(1)アイコン作成（図示省略）を選択して、アイコン作成（図示省略）からＭＹアイコン（図示省略）を選択して「ＭＹアイコン申請登録」画面Ａ００５を表示装置３４に表示させる。ＭＹアイコンの登録申請には、相手側のデスクトップ画面に追加された場合に表示する登録名及び複数のＭＹアイコンを作成した場合に識別するための用途を入力装置３３を用いてそれぞれ入力すると共に、作成するＭＹアイコンを利用してコミュニケーションを行うコミュニケーション手段を、入力装置３３を用いて入力するかまたは画面上に表示されたものから選択する。上記コミュニケーション手段は、携帯電話機１１のメモリ／ストレージ２７に保存されているＭＹアイコン基礎情報から、電話番号１〜ｎ、メールアドレス１〜ｎ、ブログＵＲＬ、ウェブサイトＵＲＬ、等の種類をチェック方式などの選択式で表示する。相手方とホットライン（掲示板）を開設する場合にもチェック方式で選択する（図示省略）。また、相手方に自分の位置情報を公開する場合には、公開の可否を選択する。ここで選択した相手方に対するコミュニケーション方法の範囲をパーミッションと呼び、パーミッションの異なる複数のＭＹアイコンを作成することにより、相手によってどのアイコン（即ち、コミュニケーション手段の種類）を通じてコミュニケーションを発生させるかをユーザがコントロールできるようにする。入力と選択が完了したら、ユーザが入力装置３３を用いて画面上の申請ボタンを押下することにより、端末固有番号及び申請情報がサーバ１８に送信される（ステップＳ２０２）。
データ通信網１４を経由して携帯電話機１１からサーバ１７に送信された端末固有番号及び申請情報は、サーバ１７のメモリＭＲに展開される。一つの申請に対して一意のランダムナンバー（２０桁程度の非連続の番号）をサーバアプリケーションで生成し、この生成したランダムナンバー（乱数）をキー情報として、メモリＭＲに展開された申請情報をデータベースＤＢ（データベースアプリで確保されたストレージ上の領域）に登録する。また、登録と同時に、キー情報であるランダムナンバー及び申請内容の一部を、２次元コードエンコーダ（図示省略）を用いてＱＲコード化し、データベースＤＢに保存する（ステップＳ２０３）。
生成されたＱＲコードは、画像ファイル、等の形式で、携帯電話機１１のメモリ／ストレージ２７にデータ通信網１４を通じて伝送される。伝送されたＱＲコードは、携帯電話機１１の表示装置３４にアイコンのプロパティ（例えば、登録名、パーミッション、等）と共に表示される（ステップＳ２０４）。
ユーザは、入力装置３３を用いて、携帯電話機１１のメモリ／ストレージまたはＳＤカードなどの外部メモリ（以下、メモリ/ストレージと略称）２７にＱＲコードを保存することができる（ステップＳ２０５）。
発行したアイコンを確認するため、ユーザは、メニュー画面Ａ００４から「(2)ＭＹアイコン／ＱＲコード表示」（図示省略）を選択し、ＱＲコード即ちＭＹアイコンを表示装置３４に一覧（画面Ａ００８）で表示することができる。ここで登録名やパーミッションを変更するには、一覧より対象のＭＹアイコンを選択して変更申請画面Ａ００９を表示させる（ステップＳ２０６）。
ユーザは、上記ステップＳ２０３〜Ｓ２０６と同様な方法で新たにＱＲコードを生成することができる。この場合、新たに生成されたＱＲコードは、元のデータを上書きする（ステップＳ２０７〜Ｓ２１０）。
【００３９】
３．ＭＹアイコンをコミュニケーション相手に登録させる（図６）
表示装置３４の画面で、「待ち受け設定」されたユーザ自身の携帯電話機１１のデスクトップ画面Ｆ００１（図４参照）よりメニュー画面Ａ００４を表示装置３４に表示させる（ステップＳ３０１）。
表示装置３４に表示されたメニュー画面Ａ００４から「(2)ＭＹアイコン／ＱＲコード表示」（図示省略）を選択し、相手に登録させたいＱＲコード即ちＭＹアイコンを一覧から選択して表示する（図示省略）。表示装置３４には、ＱＲコードと共に登録名及びパーミッション情報を表示し（画面Ａ００８参照）、ユーザが相手に与える内容を確認することを可能とする（ステップＳ３０２）。
相手方では、表示装置３４の画面Ａ０１０で、「メニュー」から「(3)２次元バーコードリーダ起動」を選択して（図示省略）、２次元バーコードリーダ３０、及びそれに連動してカメラ装置２９を起動する（ステップＳ３０３）。
画面Ａ０１１に示すようにユーザの携帯電話機１１の表示装置３４に表示されたＱＲコードをスキャンすることにより（ステップＳ３０４）、画面Ａ０１２に示すようにデスクトップにアイコンを追加する（ステップＳ３０５）。
相手方がアイコンを追加する際に、ユーザ側のデスクトップに追加する自身のアイコンを画面Ａ００８の一覧から選択すると相手方の携帯電話機１１から追加されたアイコンのランダムナンバーとユーザに与えるアイコンのランダムナンバーとがデータ通信網１４を経由してサーバ１７に伝送される。サーバアプリケーションは、アイコンのランダムナンバーを双方のデータベース１７に保存すると共に、携帯電話機１１のメモリ/ストレージ２７にホットライン（掲示板）の領域を確保する。また相手方のアイコン情報をユーザの携帯電話機１１に伝送して、ユーザが画面Ａ０１３に示すようにデスクトップ画面に登録すると（ステップＳ３０６）、ホットライン領域を確定する（ステップＳ３０７）。
【００４０】
４．情報の参照（図７）
表示装置３４の画面で、「待ち受け設定」されたユーザ自身の携帯電話機１１のデスクトップ上には、これまでに登録された各種アイコンが表示されている。コミュニケーション対象から連絡、更新のあった場合に、アイコン制御装置３１が自動的に表示装置３４の画面に表示されているアイコンに動きなどを与えることにより、画面Ａ０１４に示すようにアラートを発するので（図示省略）、そのアラートを発しているアイコンを選択すると（即ちコミュニケーション対象をクリックすると）（ステップＳ４０１）、表示装置３４の画面に一覧の画面Ａ０１５が表示される（ステップＳ４０２）。一覧では、情報ソース（電話、メール、ブログ、ホットライン、位置情報等のコミュニケーション手段）の種類、既読/未読、等を識別表示する（図示省略）。ユーザが未読の更新情報を選択すると、詳細情報の画面Ａ０１６が表示装置３４に表示される（ステップＳ４０３）。ここでは一般的なウェブブラウザと同様にハイパーリンク、スクリプト、等の機能を利用することができ、画面Ａ０１７に示すように一般的なウェブサイトにアクセスすることができる（ステップＳ４０４）。
また、詳細情報の画面上にアイコンリンクが付与されている場合には、これをクリックすることで画面Ａ０１８に示すように自らのデスクトップにアイコンを追加することができる（ステップＳ４０５）。
ユーザは、一覧が表示装置３４の画面に表示された時点（即ち、ステップＳ４０２の時点）、もしくは詳細情報が表示装置３４に表示された時点（即ち、ステップＳ４０３の時点）で、画面Ａ０１９に示す「返信方法」を選択してから（通常であればメールでの連絡に対してはメールでの返信を行うがメールで連絡がきてもホットラインや電話での返信が簡単に選択できるようにする）（ステップＳ４０６）、画面Ａ０２０に示すように、返信を作成して送信する（ステップＳ４０７）か、または上記ステップＳ４０３から直接上記ステップＳ４０７を実行する。
上記ステップＳ４０７で、ユーザは、返信作成時にテキストをハイライトして、自分のデスクトップ上にあるアイコンをアサインすることができる（例えば、ユーザのデスクトップ上にある日経ニュースのＲＳＳアイコンが非常に便利だという場合に、コミュニケーション相手が容易に（検索、等をすることなく）同じアイコンを入手できるように、テキスト上に添付することが可能）。
またユーザは、一覧が表示装置３４の画面に表示された時点で、画面Ａ０２１に示すように、選択したデータを削除することができる（ステップＳ４０８）。
【００４１】
５．情報の発信（図８）
表示装置３４の画面で、「待ち受け設定」されたユーザ自身の携帯電話機１１のデスクトップ上には、画面Ａ０２２に示すように、これまでに登録された各種アイコンが表示されている（ステップＳ５０１）。コミュニケーション対象へ情報を発信する場合には、対象となるアイコンを選択して発信方法を一覧から選択すると、同時に画面Ａ０２３に示す一覧から発信モード（喜  怒  哀  楽  愛情などの感情を表現）を選択する（ステップＳ５０２）。
入力画面が表示されると、ユーザは、画面Ａ０２４に示すように、入力装置３３を用いて発信する情報を入力する（ステップＳ５０３）。この際、リンク先のＵＲＬやコミュニケーション対象に与えたいアイコンをアサインすることができる。
データ通信網を経由した更新情報が相手方のアイコンに伝送されると、アイコン制御装置３１により上記ステップＳ４０１と同様にアラートを発する。また、発信モードが選択されている場合には、アイコン制御装置３１により相手方のデスクトップ画面に表示されているアイコンに、画面Ａ０２８に示すように感情を表現する動きを与える（ステップＳ５０４）。
【００４２】
６．ステータス通知（図９）
表示装置３４で、「待ち受け設定」されたユーザ自身の携帯電話機１１のデスクトップ画面Ａ０２５より（ステップＳ６０１）、メニュー画面Ａ０２６を表示装置３４に表示させる（ステップＳ６０２）。
コミュニケーション対象へ自らのステータスを発信する場合には、画面Ａ０２７に示すように、ステータスを一覧から選択する（ステップＳ６０３）。
データ通信網を経由した更新情報が相手方のアイコンに伝送されると、アイコン制御装置３１により相手方のデスクトップ画面に表示されているアイコンに、画面Ａ０２８に示すように、ステータスを表現する動きを与える（ステップＳ６０４）。
【００４３】
７．グループアイコンの発行（図１０及び図１１）
ユーザは、インターネット１９に接続したＰＣ２０をオンにしてブラウザ（図示省略）から、画面Ｂ００１に示すような、ＩＰ１８1〜１８nの一つである情報提供サービスサイトを参照する（ステップＳ７０１）。情報提供サービスサイトのメニュー「グループアイコン作成」からグループアイコン申請画面Ｂ００２を表示して、参加するメンバのデスクトップ画面に追加された場合に表示する「登録名」の入力が完了したら、ユーザは画面上の申請ボタンをクリックしてサーバ１７に送信する（ステップＳ７０２）。
インターネット１９を経由してＰＣ２０からサーバ１７に送信された申請情報は、サーバ１７のメモリＭＲに展開される。一つの申請に対して一意のランダムナンバー（２０桁程度の非連続の番号）をサーバアプリケーションで生成し、この生成したランダムナンバー（乱数）をキー情報としてメモリＭＲに展開された申請情報をデータベースＤＢ（データベースアプリで確保されたストレージ上の領域）に登録する。また、登録と同時にキー情報であるランダムナンバーを、２次元コードエンコーダ（図示省略）を用いてＱＲコード化し、データベースＤＢに保存する（ステップＳ７０３）。
生成されたＱＲコードは、画像ファイルなどの形式で、ＰＣ２０のメモリ／ストレージ（図示省略）にインターネット１９を通して伝送される。伝送されたＱＲコードは、ＰＣ２０の画面にアイコンのプロパティ（登録名）と共に表示される。ユーザは、画面Ｂ００３に示すようにＰＣ２０のメモリ／ストレージまたはＳＤカードなどの外部メモリ（以下、メモリ/ストレージと略称）２０ＳにＱＲコードを保存することができる（ステップＳ７０４）。
保存したＱＲコードのファイルを電子メールの添付ファイルとして、グループメンバに送付する。
また、図１１に示すように、ユーザは、携帯電話機１１の表示装置３４に表示されたデスクトップ画面Ｂ００４から、入力装置３３を用いてメニュー画面（図示省略）を開く（ステップＳ７０５）。
「メニュー」画面の「(1)アイコン作成」（図示省略）からグループアイコン申請画面Ｂ００５を表示装置３４に表示させ、参加するメンバデスクトップ画面に追加された場合に表示する「登録名」の入力が完了したら、ユーザは、画面上の申請ボタンを、入力装置３３を用いて押下することにより申請情報がサーバ１７に送信される（ステップＳ７０６）。
データ通信網１４を経由して携帯電話機１１からサーバ１７に送信された申請情報は、サーバ１７のメモリＭＲに展開される。一つの申請に対して一意のランダムナンバー（２０桁程度の非連続の番号）をサーバアプリケーションで生成し、この生成したランダムナンバー（乱数）をキー情報としてメモリＭＲに展開された申請情報をデータベースＤＢ（データベースアプリで確保されたストレージ上の領域）に登録する。また登録と同時にキー情報であるランダムナンバーを２次元コードエンコーダ（図示省略）を用いてＱＲコード化し、データベースＤＢに保存する（ステップＳ７０７）。
生成されたＱＲコードは、画像ファイルなどの形式で、携帯電話機１１のメモリ／ストレージ２７にデータ通信網１４を通じて伝送される。伝送されたＱＲコードは、画面Ｂ００６に示すように、携帯電話機１１の表示装置３４にアイコンのプロパティ（登録名）と共に表示される。ユーザは、入力装置３３を用いて、携帯電話機１１のメモリ／ストレージ２７にＱＲコードを保存することができる（ステップＳ７０８）。
保存したＱＲコードは、上記ステップＳ３０２と同様に携帯電話機１１の表示装置３４に表示してグループに参加するメンバにスキャンしてもらう。
【００４４】
８．グループアイコンをデスクトップへ追加する（図１２）
グループに参加するメンバは、表示装置３４の画面Ｂ００７で、メニューから「(3)２次元バーコードリーダ起動」を選択して（ステップＳ８０１）、画面Ｂ００８に示すように、２次元バーコードリーダ３０、及びそれに連動してカメラ装置２９を起動する（ステップＳ８０２）。
画面Ｂ００９に示すように、グループオーナから配布されたかまたは携帯電話機１１の表示装置３４に表示されたＱＲコードをスキャンすることにより（ステップＳ８０３）、画面Ｂ０１０に示すように、デスクトップにアイコンを追加する（ステップＳ８０４）。
グループメンバの携帯電話機１１から追加されたアイコンのランダムナンバー及び固有識別情報がデータ通信網１４を経由してサーバ１７に伝送される。サーバアプリケーションは、アイコンのランダムナンバーをキー情報としてメンバの固有認識情報をデータベースＤＢに保存すると共に、携帯電話機１１のメモリ/ストレージ２７にホットライン（掲示板）の領域を確定するかまたは既存のグループホットラインに参加させる（ステップＳ８０５）。
グループメンバは、画面Ｂ０１１に示すように、グループオーナーからスキャンしたＱＲコードを自らの携帯電話機１１のメモリ／ストレージ２７に保存して、更なるメンバーにスキャンさせることができる（ステップＳ８０６）。
【００４５】
９．グループアイコン  情報の参照（図１３）
表示装置３４の画面で、「待ち受け設定」されたユーザ自身の携帯電話機１１のデスクトップ上には、これまでに登録された各種アイコンが表示されている。グループメンバから連絡のあった場合に、画面Ｂ０１２に示すように、アイコン制御装置３１が自動的に表示装置３４の画面上に表示されているアイコンに動きなどを与えることによりアラートを発するので、そのアラートを発しているアイコンを選択すると（ステップＳ９０１）、表示装置３４の画面にホットライン詳細画面Ｂ０１３を表示する（ステップＳ９０２）。ここでは画面Ｂ０１４に示すように、一般的なウェブブラウザと同様にハイパーリンク、スクリプト、等の機能を利用することができ、一般的なウェブサイトにアクセスすることができる（ステップＳ９０３）。
受信したメンバは、詳細情報が表示装置３４に表示された時点で、画面Ｂ０１５に示すように、返信内容をホットラインで入力することができる（ステップＳ９０４）。入力されたデータは、詳細画面上の上部に追加され、他のグループメンバに対してアラートを発する。
【００４６】
１０．マーケティングアイコンの発行（図１４）
企業など法人の担当者は、インターネットに接続したＰＣ２０をオンにしてブラウザから画面Ｃ００１に示すＩＰ１８1〜１８nの一つである情報提供サービスサイトを参照する（ステップＳ１００１）。情報提供サービスサイトのメニュー「マーケティングアイコン作成」からマーケティングアイコン申請画面Ｃ００２を表示する（Ｓ１００２）。新規作成ボタンを押下することにより、アイコン名と概要を入力する画面を表示させる。情報を入力後、申請ボタンを押下することで申請情報をサーバ１７に送信する。申請画面にはユーザＩＤ及びパスワードを利用してログインする形式をとるが、初めて利用する企業や法人、等の担当者は、初回用の申請画面にて担当者情報（法人名、部署、担当者名、住所、電話番号、メールアドレスなど）と共に次回からのユーザＩＤとパスワードを入力して送信する。
インターネット１９を経由してＰＣ２０からサーバ１７に送信された申請情報は、サーバ１７のメモリＭＲに展開される。一つの申請に対して一意のランダムナンバー（２０桁程度の非連続の番号）をサーバアプリケーションで生成し、このランダムナンバー（乱数）をキー情報としてメモリＭＲに展開された申請情報をデータベースＤＢ（データベースアプリで確保されたストレージ上の領域）に登録する。また、登録と同時にキー情報であるランダムナンバーを、２次元コードエンコーダ（図示省略）を用いてＱＲコード化し、データベースＤＢに保存する（ステップＳ１００３）。
画面Ｃ００３に示すように、生成されたＱＲコードは、画像ファイルなどの形式で、ＰＣ２０のメモリ／ストレージ（図示省略）にインターネット１９を通して伝送される。伝送されたＱＲコードは、ＰＣ２０の画面にアイコンのプロパティ（登録名）と共に表示される。ユーザは、画面００３に示すように、ＰＣ２０のメモリ／ストレージ２０ＳにＱＲコードを保存することができる（ステップＳ１００４）。
保存したＱＲコードの画像を法人のウェブサイトやポスター・雑誌広告などの媒体に掲載してユーザ（顧客）にスキャンさせる。
【００４７】
１１．デスクトップへマーケティングアイコンを追加する（図１５）
法人からの情報配信を受けたいユーザ（顧客）は、各種媒体に掲載されたＱＲコードを、表示装置３４の画面Ｃ００４で、メニューから「(3)２次元バーコードリーダ起動」を選択して（ステップＳ１１０１）、画面Ｃ００５に示すように、２次元バーコードリーダ３０、それに連動してカメラ装置２９を起動する（ステップＳ１１０２）。
画面Ｃ００６に示すように、各種媒体に掲載表示されたＱＲコードをスキャンすることにより（ステップＳ１１０３）、画面Ｃ００７に示すように、デスクトップにアイコンを追加する（ステップＳ１１０４）。
ユーザの携帯電話機１１から追加されたアイコンのランダムナンバー及び固有識別情報がデータ通信網１４を経由してサーバ１７に伝送される。サーバアプリケーションは、アイコンのランダムナンバーをキー情報としてユーザの固有認識情報をデータベースＤＢに保存すると共に、既存のマーケティングホットラインに参加させる(ステップＳ１１０５)。
【００４８】
１２．マーケティングアイコン  情報の発信（図１６）
企業など法人の担当者は、インターネット１９に接続したＰＣ２０をオンにしてブラウザ（図示省略）から、画面Ｃ００８に示すＩＰ１８1〜１８nの一つである情報提供サービスサイトを参照する（ステップＳ１２０１）。情報提供サービスサイトのメニュー「マーケティングアイコン作成」から、画面Ｃ００９に示すように、ユーザＩＤとパスワードを入力して（ステップＳ１２０２）、マーケティングアイコン申請画面Ｃ０１０を表示する（ステップＳ１２０３）。ここで既に発行済みのアイコンが一覧表示されているので、情報を発信するアイコンを選択して更新ボタンを押下する。
更新ボタンを押下することにより、発信情報を入力する画面を表示させる。情報を入力後、掲示板更新ボタンを押下することで入力情報をサーバに送信する。サーバアプリケーションは、送信された情報をストレージ（図示省略）のホットライン領域に更新し、アイコンを追加したユーザ（顧客）に更新した事実をデータ通信網１４を経由して伝送する（ステップＳ１２０４）。
【００４９】
１３．マーケティングアイコン  情報の参照（図１７）
表示装置３４の画面で、「待ち受け設定」されたユーザ自身の携帯電話機１１のデスクトップには、画面Ｃ０１１に示すように、これまでに登録された各種アイコンが表示されている（Ｓ１３０１）。法人から情報発信のあった場合に、アイコン制御装置が自動的に表示装置３４の画面上に表示されているアイコンに動きなどを与えることによりアラートを発するので、そのアラートを発しているアイコンを選択すると、表示装置３４の画面にホットライン詳細画面Ｃ０１２を表示する（ステップＳ１３０２）。ここでは、画面Ｃ０１３に示すように、一般的なウェブブラウザと同様にハイパーリンク、スクリプト、等の機能を利用することができ、法人のウェブサイトにアクセスすることができる（ステップS１３０３）。
【００５０】
１４．ＲＳＳアイコンの発行（図１８）
特定の情報を収集するＲＳＳアイコンを追加することを望む者は、インターネット１９に接続したＰＣ２０をオンにしてそのブラウザ（図示省略）から画面Ｄ００１に示すＩＰ１８1〜１８nの一つである情報提供サービスサイトを参照する（ステップＳ１４０１）。情報提供サービスサイトのメニュー「ＲＳＳアイコン作成」からＲＳＳアイコン申請画面Ｄ００２を表示する。申請画面Ｄ００２では登録名、ＲＳＳフィードのアドレス、一覧に表示させる際の分類であるカテゴリ、登録済みのＲＳＳアイコンを検索する際のキーワードなどを入力して、申請ボタンを押下することで申請情報をサーバ１７に送信する（ステップＳ１４０２）。
インターネット１９を経由してＰＣ２０からサーバ１７に送信された申請情報は、サーバ１７のメモリＭＲに展開される。一つの申請に対して一意のランダムナンバー（２０桁程度の非連続の番号）をサーバアプリケーションで生成し、このランダムナンバー（乱数）をキー情報としてメモリＭＲに展開された申請情報をデータベースＤＢ（データベースアプリで確保されたストレージ上の領域）に登録する（ステップＳ１４０３）。また、登録と同時にキー情報であるランダムナンバーを、２次元コードエンコーダ（図示省略）を用いてＱＲコード化し、データベースＤＢに保存する。
生成されたＱＲコードは、画像ファイルなどの形式で、ＰＣ２０のメモリ／ストレージ（図示省略）にインターネット１９を通して伝送される。伝送されたＱＲコードは、ＰＣ２０の画面にアイコンのプロパティ（登録名）と共に表示される。ユーザは、画面Ｄ００３に示すように、ＰＣ２０のメモリ／ストレージ２０ＳにＱＲコードを保存することができる（ステップＳ１４０４）。
【００５１】
１５．ＲＳＳアイコン  デスクトップへアイコンを追加する（図１９）
ＲＳＳアイコンにより必要な情報を随時収集したいと考えるユーザは、インターネット１９に接続したＰＣ２０をオンにしてブラウザ（図示省略）から画面Ｄ００４に示すＩＰ１８1〜１８nの一つである情報提供サービスサイトを参照する（ステップS１５０１）。情報提供サービスサイトのメニュー「ＲＳＳアイコン検索」からＲＳＳ一覧検索画面Ｄ００５を表示する（ステップＳ１５０２）。検索画面で自らが必要とする情報に関連するカテゴリ（例：ニュース、特定銘柄の株価など）を選択するかまたはキーワードをテキスト入力で直接検索バーに入れることで、サーバ１７のストレージ（図示省略）に保存されたＲＳＳアイコンに関するデータベースＤＢから、選択または入力された条件によるＲＳＳアイコンの一覧及びＱＲコードを一覧化してＰＣ２０の画面上に表示する。ユーザは、一覧のＱＲコードを、ユーザ自身の携帯電話機１１のデスクトップ画面Ｄ００６で、メニュー機能から「(3)２次元バーコードリーダ起動」（図示省略）を選択して（ステップＳ１５０３）、画面Ｄ００７に示すように、２次元バーコードリーダ３０、それに連動してカメラ装置２９を起動する（ステップＳ１５０４）。画面Ｄ００８に示すように、ＰＣ２０の一覧画面に表示されたＱＲコードをスキャンすることにより（ステップＳ１５０５）、画面Ｄ００９に示すように、デスクトップにアイコンを追加する（ステップＳ１５０６）。
或いは、画面Ｄ０１０に示すように、ユーザ自身の携帯電話機１１のデスクトップ画面に表示されているＲＳＳアイコンをクリックする（ステップＳ１５０７）ことで、表示装置３４にＲＳＳ一覧検索画面を表示する。自らが必要とする情報に関連するカテゴリ（例：ニュース、特定銘柄の株価など）を選択、もしくはキーワードをテキスト入力で直接検索バーに入れることで、サーバ１７のストレージ（図示省略）に保存されたＲＳＳアイコンに関するデータベースＤＢから、選択または入力された条件によるＲＳＳアイコンの一覧を、画面Ｄ０１１に示すように、ＰＣ２０の画面上に表示する（ステップＳ１５０８）。ユーザは、デスクトップに追加したいアイコンを選択することで、画面Ｄ００９に示すように、デスクトップにＲＳＳアイコンを追加することができる（ステップＳ１５０９）。
コミュニケーション対象からの情報を受ける過程で、情報のテキスト内にＲＳＳアイコンがアサインされていた場合には、画面Ｄ００９に示すように、このアイコンもまたデスクトップに追加することができる（ステップＳ１５１０〜Ｓ１５１１）。
ＲＳＳアイコンを発行した者が、ウェブサイトやポスター・雑誌広告などの媒体にＱＲコードを掲載した場合には、ユーザは、画面Ｄ００６〜Ｄ００９に示すように、上記ステップＳ１５０３〜Ｓ１５０６のようにして、デスクトップにＲＳＳアイコンを追加することができる（ステップＳ１５１２〜Ｓ１５１５）。
【００５２】
１６．ＲＳＳアイコン  情報の照会（図２０）
表示装置３４の画面で、「待ち受け設定」されたユーザ自身の携帯電話機１１のデスクトップには、これまでに登録された各種アイコンが表示されている。ＲＳＳで登録された情報ソースに更新があった場合には、情報サービス提供者（ＩＰ）のサーバのアプリケーションが定期的にデータベースに登録されたＲＳＳフィードを利用して更新を確認し、更新を確認した場合にはユーザの携帯電話機１１のアイコン制御装置３１に対してデータ通信網１４を通して信号を発信する。アイコン制御装置３１は、信号を受信すると表示装置３４の画面に表示されているアイコンに画面Ｄ０１２に示すように動きなどを与えることによりアラートを発するので、そのアラートを発しているアイコンを選択すると（ステップＳ１６０１）、サーバ１７でＲＳＳフィードにより収集した情報を一覧化して、画面Ｄ０１３に示すように携帯電話機１１の表示装置３４を用いてデータを表示する（ステップＳ１６０２）。ユーザが詳細の情報を得るには、一覧画面上でデータを選択することで、サーバから詳細データを携帯電話機に伝送して画面Ｄ０１４に示すように表示する（ステップＳ１６０３）。
【００５３】
１７．エージェントアイコンの発行（図２１）
エージェントアイコンは、ユーザ本人に代わりネットワーク上の関心事を検索表示してくれる人工知能（ＡＩ）を備えたロボット型エンジンであり、よりユーザの関心に近い情報を出力することを可能にする。
エージェントアイコンは、初期設定時にデスクトップに搭載され、このアイコンをクリックすることで（Ｓ１７０１）、「キーワード入力」画面Ｅ０２１が表示装置３４に表示され（ステップＳ１７０２）、入力装置３３によりこの「キーワード入力」画面Ｅ０２１に入力された「キーワード」に応じて、検索収集した情報の一覧を一覧画面Ｅ０２２として表示装置３４に表示する（ステップＳ１７０３）。
また、「キーワード入力」の方法としては、上述したような「キーワード入力」画面Ｅ０２１に入力装置３３により「キーワード」を入力する方法以外にも、ユーザが音声で発生した「キーワード」を音声入力装置（図示省略）により解析して、その解析結果に基づき情報検索を実施するように構成してもよい。
【００５４】
１８．エージェントアイコン  情報の照会（図２２）
表示装置３４の画面で、「待ち受け設定」されたユーザ自身の携帯電話機１１のデスクトップには、これまでに登録された各種アイコンが表示されている。
上述したように、エージェントアイコンを用いて「キーワード入力」により常に新規な検索を行うことが可能であるが、事前に登録されたキーワードに該当する情報ソースに更新があった場合には、情報サービス提供者（ＩＰ）のサーバのアプリケーションが定期的にデータベースに登録されたエージェントアイコン用ＡＩを利用して更新を確認し、更新を確認した場合にはユーザの携帯電話機１１のアイコン制御装置３１に対してデータ通信網１４を通して信号を発信する。アイコン制御装置３１は、信号を受信すると表示装置３４の画面に表示されているエージェントアイコンに画面Ｅ０２３に示すように動きなどを与えることによりアラートを発するので（Ｓ１８０１）、そのアラートを発しているアイコンを選択すると（ステップＳ１８０２）、サーバ１７でエージェントアイコン用ＡＩにより収集した情報を一覧化して、画面Ｅ０２４に示すように携帯電話機１１の表示装置３４を用いてデータを表示する（ステップＳ１８０３）。ユーザが詳細の情報を得るには、一覧画面上でデータを選択することで、サーバから詳細データを携帯電話機に伝送して画面Ｅ０２５に示すように表示する（ステップＳ１８０４）。
【００５５】
１９．アプリケーションアイコンの発行（図２３）
ＴＶリモコンなどのユーティリティアプリケーションを提供する企業や法人、等の担当者は、インターネット１９に接続したＰＣ２０をオンにしてブラウザ（図示省略）から画面Ｅ００１に示すＩＰ１８1〜１８nの一つである情報提供サービスサイトを参照する（ステップＳ１９０１）。情報提供サービスサイトのメニュー「アプリケーションアイコン作成」からアプリケーションアイコン申請画面Ｅ００２を表示する（ステップＳ１９０２）。新規作成ボタンを押下することにより、アイコン名と概要及びアプリケーションのダウンロード先ＵＲＬを入力する画面を表示させる。情報を入力後、申請ボタンを押下することで申請情報をサーバ１７に送信する。申請画面は、ユーザＩＤ及びパスワードを利用してログインする形式をとるが、初めて利用する企業や法人、等の担当者は、初回用の申請画面で担当者情報（法人名、部署、担当者名、住所、電話番号、メールアドレスなど）と共に、次回からのユーザＩＤ及びパスワードを入力して送信する（ステップＳ１９０３）。
インターネット１９を経由してＰＣ２０からサーバ１７に送信された申請情報は、サーバ１７のメモリＭＲに展開される。一つの申請に対して一意のランダムナンバー（２０桁程度の非連続の番号）をサーバアプリケーションで生成し、このランダムナンバー（乱数）をキー情報としてメモリＭＲに展開された申請情報をデータベースＤＢ（データベースアプリで確保されたストレージ上の領域）に登録する。また登録と同時にキー情報であるランダムナンバーを、２次元コードエンコーダ（図示省略）を用いてＱＲコード化し、データベースＤＢに保存する。
生成されたＱＲコードは、画像ファイルなどの形式で、ＰＣ２０のメモリ／ストレージ（図示省略）にインターネット１９を通して伝送される。伝送されたＱＲコードは、ＰＣ２０の画面（図示省略）にアイコンのプロパティ（登録名）と共に表示される。ユーザは、画面Ｅ００３に示すように、ＰＣ２０のメモリ／ストレージ２０ＳにＱＲコードを保存することができる（ステップＳ１９０４）。
保存したＱＲコードの画像を、企業や法人、等が提供するウェブサイト、家電などの製品の取扱説明書、パンフレット、等の媒体に掲載して、ユーザ（顧客）にスキャンさせる。
【００５６】
２０．デスクトップへアプリケーションアイコンを追加する（図２４）
ユーティリティアプリケーションを利用したいユーザ（顧客）は、各種媒体に掲載されたＱＲコードを、表示装置３４の画面Ｅ００４で、メニューから「(3)２次元バーコードリーダ起動」を選択して（ステップＳ２００１）、画面Ｅ００５に示すように２次元バーコードリーダ３０、それに連動してカメラ装置２９を起動する（ステップＳ２００２）。
画面Ｅ００６に示すように各種媒体に掲載表示されたＱＲコードをスキャンすることにより（ステップＳ２００３）、画面Ｅ００７に示すようにデスクトップにアイコンを追加すると同時に、サーバ１７にダウンロード要求を送信する（ステップＳ２００４及びＳ２００５）。サーバ１７のデータベースＤＢに登録されたＵＲＬに基づいて、要求を発したユーザの携帯電話機１１のメモリ／ストレージ２７にユーティリティアプリケーションをダウンロードする。
【００５７】
２１．アプリケーションを起動する（図２５）
表示装置３４の画面で、「待ち受け設定」されたユーザ自身の携帯電話機１１のデスクトップには、これまでに登録された各種アイコンが表示されている。ユーティリティアプリケーションを起動してＴＶやＨＤＤレコーダといった家電などを利用したいユーザは、画面Ｅ００８に示すように該当するアプリケーションアイコンをクリックすると（ステップＳ２１０１）、表示装置３４の画面Ｅ００９でユーティリティアプリケーションが起動する（ステップＳ２１０２）。
【００５８】
２２．デスクトップ上のアイコンの整理
表示装置３４の画面Ｆ００１で、「待ち受け設定」されたユーザ自身の携帯電話機１１のデスクトップでメニューより以下の機能が提供される：
アイコン作成
ＭＹアイコン／ＱＲコード表示
バーコード起動
ステータス通知
アプリ終了
【００５９】
表示装置３４の画面Ｆ００１で、「待ち受け設定」されたユーザ自身の携帯電話機１１のデスクトップにおいて、「機能」より以下の機能が提供される：
(1)アイコンのプロパティの確認；（アイコンの発行者が登録した基礎情報の一部を参照できる。例：個対個のコミュニケーションアイコンの場合；パーミッション情報／電話、メール、ブログなど。）
(2)アイコンのグループ化；
複数のアイコンを１つのアイコンとしてデスクトップ上に表示できる。例：Ａさん、Ｂさん、Ｃさんは会社同僚なので、まとめて「会社仲間」アイコンを生成する。この場合グループに含まれる誰かから連絡更新があった場合には、まずグループアイコンがアラートを発し、クリックすると個別のアイコンがデスクトップに展開され、連絡更新を発した特定の個人のアイコンだけがアラートを発していることがわかる。（注：アイコン種別のグループアイコンのことではない）
(3)並び順の指定；
登録順；新規に追加したアイコンは左上から順番に配置される。
更新頻度順；更新頻度の高いコミュニケーション対象のアイコンが左上から配置される。
任意設定；選択したアイコンをユーザの任意の配置に指定できる。
(4)アイコンデザインの変更；
初期状態では登録者が指定したアイコンが表示されるが、プリインストールされた画像やユーザ自身が撮影した画像をアイコンとしてアサインできる。
(5)アイコン削除；
デスクトップ上で選択したアイコンを削除する。個人アイコンについては削除する場合に登録者に対してメッセージを発する。その上で削除を実行する。同時にホットライン（掲示板）も削除する。
また一定期間使用されていないアイコンについてもメッセージを発して削除を促す。
(6)待ち受け設定；
該アプリケーションを携帯電話機上の待ち受けアプリケーションとして常駐設定を行う（推奨）。
(7)背景画像設定；
アイコンを配置するデスクトップ背景画像をユーザの任意のものに設定可能。
画面Ｆ００１には、アイコンがマトリックス（ｍ，ｎ）で配置されて示されている。ここでｍ＝行、ｎ＝列をそれぞれ表し、画面Ｆ００１では、ｍ＝ｎ＝１〜３である。
マトリックス（１，１）に配置されたアイコン、即ち第１行、第１列に配置されたアイコンＡは、Ａさんに関する情報に対応付けられ、マトリックス（１，２）に配置されたアイコン、即ち第１行、第２列に配置されたアイコンＢは、フットサルグループに関する情報に対応付けられる。
【００６０】
以下、同様にして、マトリックス（１，３）のアイコンＣは、コカコーラ社に関する情報に対応付けられ、マトリックス（２，１）のアイコンＤは、ＩＴニュースを収集するＲＳＳに対応付けられ、マトリックス（２，２）のアイコンＥは、ＨＤＤレコーダリモコンに対応付けられている。更に、マトリックス（２，３）のアイコンＦ、マトリックス（３，１）のアイコンＧ、マトリックス（３，２）のアイコンＨは、「（未登録で空欄）」に対応付けられ、そして、マトリックス（３，３）のアイコンＩは、「ＲＳＳ検索」に対応付けられている。
【００６１】
２３．アイコンの交換の方法
個アイコン、グループアイコンの交換は、ＱＲコードを利用したものに限定されず、Ｂｌｕｅｔｏｏｔｈや赤外線などの近距離通信ハードウェアを利用して交換することも可能である。
またサウンドバーコードのための受発信機を備え、携帯電話機１１が発する音声にアイコン情報を記号化したもの（アイコン用サウンドバーコード）を含ませて、これを交換することでアイコンの交換が実現できる。これを利用すれば、電話での通話中であってもアイコンの交換を行うことが可能である。
【００６２】
２４．アイコンの追加の方法
一方、マーケティングアイコン、ＲＳＳアイコン、アプリケーションアイコンのデスクトップへの追加の方法として、ＴＶ・ラジオで放送される音声にアイコン用サウンドバーコードが含まれている場合に、これをサウンドバーコード受信機で取得してアイコン化することも可能とする。ここで、サウンドバーコードとは、電波やその他の高周波のみならず、音声や音楽などの低周波を搬送波としてごく少量のデータ（アイコンデータ）のデータ交換を行なうという技術である。
【００６３】
表１に本発明によるモバイルワンストップ通信方法で使用する「アイコン」の種類を示す。これらのアイコンは、ユーザが携帯電話機１１の「デスクトップ」（即ち、表示装置に表示される操作画面）に載せることができるものである。
【００６４】
（表１）
2007018371.tif 000003
2007018371.tif 000004
【図面の簡単な説明】
【００６５】
【図１】本発明によるモバイルワンストップ通信方法を実施するためのモバイルワンストップ通信システムの概略構成を示す概略図である。
【図２】図１に示す携帯電話機のハードウェア及びソフトウェア構成を示す概略図である。
【図３】本発明によるモバイルワンストップ通信方法における初期設定を説明するための図である。
【図４】本発明によるモバイルワンストップ通信方法におけるＭＹアイコンの追加/ＱＲコード表示を説明するための図である。
【図５】図４と同様に、本発明によるモバイルワンストップ通信方法におけるＭＹアイコンの追加/ＱＲコード表示を説明するための別の図である。
【図６】本発明によるモバイルワンストップ通信方法におけるＭＹアイコンをコミュニケーション相手に登録させる手順を説明するための図である。
【図７】本発明によるモバイルワンストップ通信方法における情報の参照を説明するための図である。
【図８】図７と同様に、本発明によるモバイルワンストップ通信方法における情報の参照を説明するための別の図である。
【図９】本発明によるモバイルワンストップ通信方法におけるステータス通知を説明するための図である。
【図１０】本発明によるモバイルワンストップ通信方法におけるグループアイコンの発行を説明するための図である。
【図１１】図１０と同様に、本発明によるモバイルワンストップ通信方法におけるグループアイコンの発行を説明するための図である。
【図１２】本発明によるモバイルワンストップ通信方法におけるグループアイコンをデスクトップへ追加することを説明するための図である。
【図１３】本発明によるモバイルワンストップ通信方法におけるグループアイコンの情報の参照を説明するための図である。
【図１４】本発明によるモバイルワンストップ通信方法におけるマーケティングアイコンの発行を説明するための図である。
【図１５】本発明によるモバイルワンストップ通信方法におけるデスクトップへマーケティングアイコンを追加することを説明するための図である。
【図１６】本発明によるモバイルワンストップ通信方法におけるマーケティングアイコンの情報の発信を説明するための図である。
【図１７】本発明によるモバイルワンストップ通信方法におけるマーケティングアイコンの情報の参照を説明するための図である。
【図１８】本発明によるモバイルワンストップ通信方法におけるＲＳＳアイコンの発行を説明するための図である。
【図１９】本発明によるモバイルワンストップ通信方法におけるＲＳＳアイコンのデスクトップへの追加することを説明するための図である。
【図２０】本発明によるモバイルワンストップ通信方法におけるＲＳＳアイコンの情報の照会を説明するための図である。
【図２１】本発明によるモバイルワンストップ通信方法におけるエージェントアイコンの発行を説明するための図である。
【図２２】本発明によるモバイルワンストップ通信方法におけるエージェントアイコンの情報の照会を説明するための図である。
【図２３】本発明によるモバイルワンストップ通信方法におけるアプリケーションアイコンの発行を説明するための図である。
【図２４】本発明によるモバイルワンストップ通信方法におけるアプリケーションアイコンのデスクトップへの追加を説明するための図である。
【図２５】本発明によるモバイルワンストップ通信方法におけるアプリケーションの起動を説明するための図である。
【符号の説明】
【００６６】
１０  モバイルワンストップ通信システム
１１1〜１１m  携帯電話機
１２  無線基地局
１３  移動電話交換局
１４  ネットワーク
１５  ゲートウェイ
１６  通信管理センター
１７1〜１７n  サーバ
１８1〜１８n  情報提供者（ＩＰ：Information Provider）
１９  インターネット
２０1〜２０m  パーソナルコンピュータ（ＰＣ）
２０Ｓ1〜２０Ｓm  ＰＣ２０のメモリ/ストレージ
【図１】
2007018371.tif 000005
【図２】
2007018371.tif 000006
【図３】
2007018371.tif 000007
【図４】
2007018371.tif 000008
【図５】
2007018371.tif 000009
【図６】
2007018371.tif 000010
【図７】
2007018371.tif 000011
【図８】
2007018371.tif 000012
【図９】
2007018371.tif 000013
【図１０】
2007018371.tif 000014
【図１１】
2007018371.tif 000015
【図１２】
2007018371.tif 000016
【図１３】
2007018371.tif 000017
【図１４】
2007018371.tif 000018
【図１５】
2007018371.tif 000019
【図１６】
2007018371.tif 000020
【図１７】
2007018371.tif 000021
【図１８】
2007018371.tif 000022
【図１９】
2007018371.tif 000023
【図２０】
2007018371.tif 000024
【図２１】
2007018371.tif 000025
【図２２】
2007018371.tif 000026
【図２３】
2007018371.tif 000027
【図２４】
2007018371.tif 000028
【図２５】
2007018371.tif 000029